(57)【要約】【課題】ネットワークに接続された複数の電子機器の各電子機器に対する番組設定情報の設定をより容易にすることができる電子機器制御システムを提供する。【解決手段】他の電子機器（例えば、テレビジョン受像機１ａ、１ｂ、１ｃ、１ｄ）の各々において、ＣＰＵ１５１は番組視聴履歴情報を特定電子機器（例えば、携帯電話機２）に送信する。また特定電子機器において、ＣＰＵ２４１は受信した番組視聴履歴情報を表示部２２に表示し、キー入力部２３により設定入力された番組設定情報を他の電子機器に送信する。さらに他の電子機器の各々において、ＣＰＵ１５１は受信した番組設定情報に基づいて番組設定情報格納メモリ１５５の番組設定情報を更新する。【選択図】図２
2007288520.tif 000002
【特許請求の範囲】
【請求項１】
ネットワークを介して複数の電子機器が互いに接続され、前記複数の電子機器のうちの特定電子機器により当該特定電子機器を除く他の電子機器を制御する電子機器制御システムにおいて、
前記他の電子機器の各々は、
所定の番組の視聴を制限する視聴制限情報を含む番組設定情報を記憶する番組設定情報記憶手段と、
番組視聴履歴情報を記憶する番組視聴履歴情報記憶手段と、
前記番組視聴履歴情報記憶手段に記憶された前記番組視聴履歴情報を、前記特定電子機器に前記ネットワークを介して送信する第１の送信手段と、
を備え、
前記特定電子機器は、
携帯端末であり、
前記第１の送信手段により前記ネットワークを介して送信された前記番組視聴履歴情報を受信する第１の受信手段と、
前記第１の受信手段により受信された前記番組視聴履歴情報を表示する表示手段と、
番組設定情報を設定入力する設定入力手段と、
前記設定入力手段により設定入力された番組設定情報を、前記他の電子機器に前記ネットワークを介して送信する第２の送信手段と、
を備え、
前記他の電子機器の各々は、
前記第２の送信手段により前記ネットワークを介して送信された番組設定情報を受信する第２の受信手段と、
前記第２の受信手段により受信された番組設定情報に基づいて、前記番組設定情報記憶手段に記憶された番組設定情報を更新する更新手段と、
を備えることを特徴とする電子機器制御システム。
【請求項２】
ネットワークを介して複数の電子機器が互いに接続され、前記複数の電子機器のうちの特定電子機器により当該特定電子機器を除く他の電子機器を制御する電子機器制御システムにおいて、
前記他の電子機器の各々は、
番組の視聴に関する番組設定情報を記憶する番組設定情報記憶手段と、
番組視聴履歴情報を記憶する番組視聴履歴情報記憶手段と、
前記番組視聴履歴情報記憶手段に記憶された前記番組視聴履歴情報を、前記特定電子機器に前記ネットワークを介して送信する第１の送信手段と、
を備え、
前記特定電子機器は、
前記第１の送信手段により前記ネットワークを介して送信された前記番組視聴履歴情報を受信する第１の受信手段と、
前記第１の受信手段により受信された前記番組視聴履歴情報を表示する表示手段と、
番組設定情報を設定入力する設定入力手段と、
前記設定入力手段により設定入力された番組設定情報を、前記他の電子機器に前記ネットワークを介して送信する第２の送信手段と、
を備え、
前記他の電子機器の各々は、
前記第２の送信手段により前記ネットワークを介して送信された番組設定情報を受信する第２の受信手段と、
前記第２の受信手段により受信された番組設定情報に基づいて、前記番組設定情報記憶手段に記憶された番組設定情報を更新する更新手段と、
を備えることを特徴とする電子機器制御システム。
【請求項３】
前記特定電子機器は、携帯端末であることを特徴とする請求項２に記載の電子機器制御システム。
【請求項４】
ネットワークを介して複数の電子機器が互いに接続される電子機器制御システムにおいて、
前記複数の電子機器のうちの一の電子機器は、
番組の視聴に関する番組設定情報を設定入力する設定入力手段と、
前記番組設定情報を記憶する番組設定情報記憶手段と、
前記設定入力手段により設定入力された番組設定情報を、前記ネットワークに接続された他の電子機器に送信する送信手段と、
前記ネットワークに接続された他の電子機器から送信された番組設定情報を受信する受信手段と、
前記受信手段により受信された番組設定情報に基づいて、前記番組設定情報記憶手段に記憶された番組設定情報を更新する更新手段と、
を備えることを特徴とする電子機器制御システム。
【請求項５】
前記番組設定情報は、所定の番組の視聴を制限する視聴制限情報を含むことを特徴とする請求項２〜４の何れか一項に記載の電子機器制御システム。
【発明の詳細な説明】
【技術分野】
【０００１】
本発明は、ネットワークを介して複数の電子機器が互いに接続される電子機器制御システムに関する。
【背景技術】
【０００２】
従来より、テレビジョン受像機等の電子機器において、番組の視聴履歴や、視聴制限情報等の番組設定情報を有効に利用するための様々な技術が提案されている。
【０００３】
例えば、特許文献１には、携帯放送受信装置のメモリに番組の視聴履歴情報を格納し、所定キーが操作されたときに、前記メモリから視聴履歴情報を読み出して赤外線送信し、固定型の放送受信装置は、携帯放送受信装置から送信されてくる視聴履歴情報を受信してメモリに保存することにより、或る放送受信装置で蓄積した視聴履歴情報を他の放送受信装置で利用することが可能な放送受信装置が開示されている。
また、例えば、特許文献２には、視聴制限の対象であるテレビジョン番組の視聴履歴を確認できるようにした視聴制限情報が付されたテレビジョン番組の視聴履歴確認装置が開示されており、さらに、特許文献３には、チャンネルリストを編集する前に時間を節約することができるテレビジョンチャンネル視聴リスト中の全チャンネルを遮断又は視聴状態へ設定する方法が開示されている。
【特許文献１】特開２００５−２９５３５７号公報
【特許文献２】特開２００３−９０２８号公報
【特許文献３】特開２００５−５２４２９３号公報
【発明の開示】
【発明が解決しようとする課題】
【０００４】
しかしながら、これら特許文献１〜３に開示された技術では、複数の電子機器が接続されるシステムにおいて、一の電子機器における番組の視聴履歴を他の電子機器で利用したり、視聴制限情報等の番組設定情報を設定することはできるが、他の電子機器の番組設定情報を設定することはできなかった。
【０００５】
本発明の課題は、ネットワークに接続された複数の電子機器の各電子機器に対する番組設定情報の設定をより容易にすることができる電子機器制御システムを提供することである。
【課題を解決するための手段】
【０００６】
上記課題を解決するため、請求項１に記載の発明は、ネットワークを介して複数の電子機器が互いに接続され、前記複数の電子機器のうちの特定電子機器により当該特定電子機器を除く他の電子機器を制御する電子機器制御システムにおいて、
前記他の電子機器の各々は、
所定の番組の視聴を制限する視聴制限情報を含む番組設定情報を記憶する番組設定情報記憶手段と、
番組視聴履歴情報を記憶する番組視聴履歴情報記憶手段と、
前記番組視聴履歴情報記憶手段に記憶された前記番組視聴履歴情報を、前記特定電子機器に前記ネットワークを介して送信する第１の送信手段と、
を備え、
前記特定電子機器は、
携帯端末であり、
前記第１の送信手段により前記ネットワークを介して送信された前記番組視聴履歴情報を受信する第１の受信手段と、
前記第１の受信手段により受信された前記番組視聴履歴情報を表示する表示手段と、
番組設定情報を設定入力する設定入力手段と、
前記設定入力手段により設定入力された番組設定情報を、前記他の電子機器に前記ネットワークを介して送信する第２の送信手段と、
を備え、
前記他の電子機器の各々は、
前記第２の送信手段により前記ネットワークを介して送信された番組設定情報を受信する第２の受信手段と、
前記第２の受信手段により受信された番組設定情報に基づいて、前記番組設定情報記憶手段に記憶された番組設定情報を更新する更新手段と、
を備えることを特徴とする。
【０００７】
請求項２に記載の発明は、ネットワークを介して複数の電子機器が互いに接続され、前記複数の電子機器のうちの特定電子機器により当該特定電子機器を除く他の電子機器を制御する電子機器制御システムにおいて、
前記他の電子機器の各々は、
番組の視聴に関する番組設定情報を記憶する番組設定情報記憶手段と、
番組視聴履歴情報を記憶する番組視聴履歴情報記憶手段と、
前記番組視聴履歴情報記憶手段に記憶された前記番組視聴履歴情報を、前記特定電子機器に前記ネットワークを介して送信する第１の送信手段と、
を備え、
前記特定電子機器は、
前記第１の送信手段により前記ネットワークを介して送信された前記番組視聴履歴情報を受信する第１の受信手段と、
前記第１の受信手段により受信された前記番組視聴履歴情報を表示する表示手段と、
番組設定情報を設定入力する設定入力手段と、
前記設定入力手段により設定入力された番組設定情報を、前記他の電子機器に前記ネットワークを介して送信する第２の送信手段と、
を備え、
前記他の電子機器の各々は、
前記第２の送信手段により前記ネットワークを介して送信された番組設定情報を受信する第２の受信手段と、
前記第２の受信手段により受信された番組設定情報に基づいて、前記番組設定情報記憶手段に記憶された番組設定情報を更新する更新手段と、
を備えることを特徴とする。
【０００８】
請求項３に記載の発明は、請求項２に記載の電子機器制御システムにおいて、前記特定電子機器は、携帯端末であることを特徴とする。
【０００９】
請求項４に記載の発明は、ネットワークを介して複数の電子機器が互いに接続される電子機器制御システムにおいて、
前記複数の電子機器のうちの一の電子機器は、
番組の視聴に関する番組設定情報を設定入力する設定入力手段と、
前記番組設定情報を記憶する番組設定情報記憶手段と、
前記設定入力手段により設定入力された番組設定情報を、前記ネットワークに接続された他の電子機器に送信する送信手段と、
前記ネットワークに接続された他の電子機器から送信された番組設定情報を受信する受信手段と、
前記受信手段により受信された番組設定情報に基づいて、前記番組設定情報記憶手段に記憶された番組設定情報を更新する更新手段と、
を備えることを特徴とする。
【００１０】
請求項５に記載の発明は、請求項２〜４の何れか一項に記載の電子機器制御システムにおいて、前記番組設定情報は、所定の番組の視聴を制限する視聴制限情報を含むことを特徴とする。
【発明の効果】
【００１１】
請求項１に記載の発明によれば、複数の電子機器のうちの特定電子機器を除く他の電子機器の各々は、番組設定情報記憶手段により、所定の番組の視聴を制限する視聴制限情報を含む番組設定情報を記憶し、番組視聴履歴記憶手段により、番組視聴履歴情報を記憶し、第１の送信手段により、番組視聴履歴情報記憶手段に記憶された番組視聴履歴情報を、特定電子機器にネットワークを介して送信する。また、特定電子機器は、第１の受信手段により、第１の送信手段によりネットワークを介して送信された番組視聴履歴情報を受信し、表示手段により、第１の受信手段により受信された番組視聴履歴情報を表示し、設定入力手段により、番組設定情報を設定入力し、第２の送信手段により、設定入力手段により設定入力された番組設定情報を、ネットワークに接続された他の電子機器にネットワークを介して送信する。そして、他の電子機器の各々は、第２の受信手段により、第２の送信手段により前記ネットワークを介して送信された番組設定情報を受信し、更新手段により、第２の受信手段により受信された番組設定情報に基づいて、番組設定情報記憶手段に記憶された番組設定情報を更新する。従って、ネットワークに接続されたそれぞれの電子機器での番組視聴履歴情報に基づいて設定した、視聴を望まない番組の視聴を制限するための番組設定情報を、各々の電子機器に一括して設定できることとなって、各電子機器に対する番組設定情報の設定をより容易にすることができる。また、特定電子機器は携帯端末であるので、携帯端末の操作者のみが番組設定情報を複数の電子機器に一括して設定入力できることとなって、電子機器制御システムにおけるユーザの使い勝手を向上させることができる。
【００１２】
請求項２に記載の発明によれば、複数の電子機器のうちの特定電子機器を除く他の電子機器の各々は、番組設定情報記憶手段により、番組の視聴に関する番組設定情報を記憶し、番組視聴履歴記憶手段により、番組視聴履歴情報を記憶し、第１の送信手段により、番組視聴履歴情報記憶手段に記憶された番組視聴履歴情報を、特定電子機器にネットワークを介して送信する。また、特定電子機器は、第１の受信手段により、第１の送信手段によりネットワークを介して送信された番組視聴履歴情報を受信し、表示手段により、第１の受信手段により受信された番組視聴履歴情報を表示し、設定入力手段により、番組設定情報を設定入力し、第２の送信手段により、設定入力手段により設定入力された番組設定情報を、ネットワークに接続された他の電子機器にネットワークを介して送信する。そして、他の電子機器の各々は、第２の受信手段により、第２の送信手段によりネットワークを介して送信された番組設定情報を受信し、更新手段により、第２の受信手段により受信された番組設定情報に基づいて、番組設定情報記憶手段に記憶された番組設定情報を更新する。従って、ネットワークに接続されたそれぞれの電子機器での番組視聴履歴情報に基づいて設定した番組設定情報を、各々の電子機器に一括して設定できることとなって、各電子機器に対する番組設定情報の設定をより容易にすることができる。
【００１３】
請求項３に記載の発明によれば、請求項２に記載の発明の効果が得られるのは無論のこと、特定電子機器は、携帯端末であるので、携帯端末の操作者のみが番組設定情報を複数の電子機器に一括して設定入力できることとなって、電子機器制御システムにおけるユーザの使い勝手を向上させることができる。
【００１４】
請求項４に記載の発明によれば、複数の電子機器のうちの一の電子機器は、設定入力手段により、番組の視聴に関する番組設定情報を設定入力し、番組設定情報記憶手段により、番組設定情報を記憶し、送信手段により、設定入力手段により設定入力された番組設定情報を、ネットワークに接続された他の電子機器に送信する。また、受信手段により、ネットワークに接続された他の電子機器から送信された番組設定情報を受信し、更新手段により、受信手段により受信された番組設定情報に基づいて、番組設定情報記憶手段に記憶された番組設定情報を更新する。従って、一の電子機器において設定した番組設定情報を、一括して他の電子機器にも設定できることとなって、各電子機器に対する番組設定情報の設定をより容易にすることができる。
【００１５】
請求項５に記載の発明によれば、請求項２〜４の何れか一項に記載の発明の効果が得られるのは無論のこと、番組設定情報は、所定の番組の視聴を制限する視聴制限情報であるので、複数の電子機器において、視聴を望まない番組の視聴を一括して制限することができる。
【発明を実施するための最良の形態】
【００１６】
以下、本発明の実施の形態を、図面を参照しながら詳細に説明する。
【００１７】
（実施形態１）
まず、図１〜図６を用いて、本発明を適用した実施形態１の電子機器制御システムＳａについての説明を行う。
本実施形態１における電子機器制御システムＳａでは、ネットワークＮ１を介して複数の電子機器が接続されている。これらの電子機器のうちの特定電子機器は、例えば、携帯電話機（携帯端末）２であるものとし、また、当該特定電子機器を除く他の電子機器は、テレビジョン受像機１（例えば、１ａ、１ｂ、１ｃ、１ｄ）であるものとして、以下の説明を行う。これらのテレビジョン受像機１は、例えば、符号１ｄのテレビジョン受像機のように、ＨＤＤ（Hard Disc Drive）レコーダ、ＳＴＢ（Set Top Box）等の外部機器４が接続されて成る構成であっても良い。
特定電子機器や、特定電子機器を除く他の電子機器が接続されるネットワークＮ１は、例えば、IEEE（Institute of Electrical and Electronic Engineers）802.11a/b/g規格に準じた無線ＬＡＮ（Local Area Network）等である。しかしながら、ネットワークＮ１は、例えば、有線のネットワークであっても良く、また、無線ネットワークと有線ネットワークを組み合わせて適用しても良い。
【００１８】
（テレビジョン受像機の構成）
まず、ネットワークＮ１に接続される複数の電子機器のうち、他の電子機器としてのテレビジョン受像機１ａ、１ｂ、１ｃ、１ｄの構成について、図２を参照しながら説明する。
なお、テレビジョン受像機１ａ、１ｂ、１ｃ、１ｄの構成は共通するものとし、ここでは特に一のテレビジョン受像機１ａを取り上げて説明を行い、他のテレビジョン受像機１ｂ、１ｃ、１ｄの説明は省略する。
【００１９】
テレビジョン受像機１ａは、例えば、アンテナ１１、信号処理部１２、出力部１３、通信部１４、制御部１５から構成され、信号処理部１２、出力部１３、通信部１４、制御部１５は、バス１６を介して接続される。
【００２０】
アンテナ１１は、例えば、ＵＨＦアンテナ、ＶＨＦアンテナ、ＢＳアンテナ、ＣＳアンテナであり、屋外において所定の方向に向けて配置されており、図示しないテレビジョン放送局から発信されるテレビジョン放送信号を受信する。このアンテナ１１は、例えば、テレビジョン受像機１ａ、１ｂ、１ｃ、１ｄにより共有される。
【００２１】
信号処理部１２は、例えば、チューナ１２１と、復調部１２２と、デコーダ部１２３と、映像処理部１２４と、音声処理部１２５と、ＯＳＤ回路１２６と、等を備えている。
【００２２】
チューナ１２１は、例えば、図示は省略するが、高周波増幅回路と、局部発振回路及び混合回路から成る周波数変換回路と、を備えて構成されており、アンテナ１１等により入力されたテレビジョン放送信号を、高周波増幅回路において増幅し、混合回路において局部発振回路から出力される局部発振信号と混合する。さらに、特定の周波数を選局するための制御部１５からの制御出力に応じて、特定周波数帯の中間周波信号（IF信号）を受信し、当該中間周波信号に所定の処理を行って復調部１２２に出力する。
【００２３】
復調部１２２は、例えば、制御部１５からの指示に従って、チューナ１２１から出力された中間周波信号に対してデジタル復調や誤り訂正などの処理を実行し、トランスポートストリーム（TS）を生成して、デコーダ部１２３に出力する。
【００２４】
デコーダ部１２３は、図示しないＴＳデコーダ、ビデオデコーダ、オーディオデコーダを備え、ＴＳデコーダにおいて、復調部１２２から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等に分離し、当該ビデオストリームをビデオデコーダに、オーディオストリームをオーディオデコーダに、さらに、ＰＳＩ／ＳＩに含まれるデータを制御部１５に供給する。具体的には、デコーダ部１２３は、復調部１２２から入力されたトランスポートストリームである放送信号から、時間情報、タイトル情報、ジャンル情報、レイティング情報等の番組に関する情報を抽出し、制御部１５に対して出力する。
ビデオデコーダは、ＴＳデコーダから入力されたビデオストリームを復号し、逆ＤＣＴ変換や動き補償制御等を行い、映像データを生成して映像処理部１２４に出力する。また、オーディオデコーダは、ＴＳデコーダから入力されたオーディオストリームを復号し、音声データを生成して音声処理部１２５に出力する。
【００２５】
映像処理部１２４は、ビデオデコーダから入力された映像データに対して、Ｄ／Ａ変換等の各種処理を施し、所定の映像信号を生成する。また、音声処理部１２５は、オーディオデコーダから入力された音声データに対して、Ｄ／Ａ変換等の各種処理を施し、所定の音声信号を生成する。また、当該映像処理部１２４及び音声処理部１２５は、それぞれミュート回路１２４ａ、ミュート回路１２５ａを備え、番組設定情報格納メモリ１５５に記憶された番組設定情報に基づいて、所定の番組の映像信号及び音声信号をミュートする。
ＯＳＤ回路１２６は、制御部１５からの指示出力に応じて、ＲＯＭ１５３に格納された図示しないＯＳＤデータを映像処理部１２４から出力された映像信号に合成する処理を行う。具体的には、ＯＳＤ回路１２６は、番組設定情報格納メモリ１５５（後述）に記憶された番組設定情報に基づいて所定の番組の映像信号及び音声信号がミュートされている際に、所定のＯＳＤデータを映像信号に合成することで、映像出力部１３１において番組の視聴が不可能である旨の報知を行う。
【００２６】
出力部１３は、例えば、映像出力部１３１と、音声出力部１３２と、等を備えている。
映像出力部１３１は、例えば、ＬＣＤ（Liquid Crystal Display）、ＰＤＰ（Plasma Display Panel）等の表示画面（図示省略）を備え、映像処理部１２４から入力された映像信号に基づく映像を表示させる。
音声出力部１３２は、例えば、スピーカ１３２ａ等を備え、音声処理部１２５から入力された音声信号に基づく音声を当該スピーカ１３２ａにより出力させる。
【００２７】
通信部１４は、例えば、ネットワークＮ１により他のテレビジョン受像機１ｂ、１ｃ、１ｄや、特定電子機器としての携帯電話機２と接続されており、当該テレビジョン受像機１ａの番組視聴履歴情報格納メモリ１５４に格納された番組視聴履歴情報を、ネットワークＮ１を介して携帯電話機２に送信することにより第１の送信手段として機能するとともに、ネットワークＮ１を介して携帯電話機２から送信された番組設定情報を受信することにより第２の受信手段として機能する。
【００２８】
制御部１５は、例えば、ＣＰＵ（Central Processing Unit）１５１と、ＲＡＭ（Random Access Memory）１５２と、ＲＯＭ（Read Only Memory）１５３と、番組視聴履歴情報記憶手段としての番組視聴履歴情報格納メモリ１５４と、番組設定情報記憶手段としての番組設定情報格納メモリ１５５と、等を備えて構成されている。
【００２９】
ＣＰＵ１５１は、テレビジョン受像機１ａの各部から入力された信号に応じて、ＲＯＭ１５３に格納された各種プログラムを実行し、当該プログラムに基づく制御信号を各部に出力することにより、テレビジョン受像機１ａの動作全般を統括制御する。
【００３０】
ＲＡＭ１５２は、ＣＰＵ１５１のワークエリアとして用いられ、ＲＯＭ１５３から読み出された各種プログラムやこれらプログラムに係るデータ等を一時的に記憶する。
【００３１】
番組視聴履歴情報格納メモリ１５４は、当該テレビジョン受像機１ａにおいて視聴された番組に関する情報を格納する。具体的には、図３に示すように、視聴された番組毎に、視聴日、視聴開始時刻、視聴終了時刻、番組のチャンネル、タイトル、ジャンル、レイティング情報等の番組に関するデータが互いに関連付けられて格納されることとなる。
このレイティング情報は、例えば、米国におけるTV Parental Guidelines等であり、子ども向けの番組について、ＴＶ−Ｙ（All Children; 全ての子どもに適切な番組）、ＴＶ−Ｙ７（Directed to Older Children; ７歳以上の子どもに適切な番組）、また、一般向けの番組について、ＴＶ−Ｇ（General Audience; 殆どの親が全ての年齢に適すると感じるであろう番組）、ＴＶ−ＰＧ（Parental Guidance Suggested; 保護者の監督があると良い番組）、ＴＶ−１４（Parents Strongly Cautioned; 保護者の注意が必要な番組）、ＴＶ−ＭＡ（Mature Audience Only; 成人向きの番組）等と格付けが行われる。
【００３２】
番組設定情報格納メモリ１５５は、所定の番組の視聴を制限する視聴制限情報を含む番組設定情報を格納し、携帯電話機２から新たな番組設定情報が送信されると、送信されたデータに基づいて、この番組設定情報格納メモリ１５５に格納された番組設定情報が更新される。当該番組設定情報格納メモリ１５５に記憶された番組設定情報に基づいて、テレビジョン受像機１における所定の番組の視聴が制限されることとなる。
【００３３】
ＲＯＭ１５３は、ＣＰＵ１５１によって実行される各種データ処理プログラムの他、データ処理プログラムに係る各種初期設定値等を格納する。具体的に、ＲＯＭ１５３には、例えば、番組視聴履歴情報記憶プログラム１５３ａ、第１の送信プログラム１５３ｂ、第２の受信プログラム１３５ｃ、更新プログラム１５３ｄ、視聴制限プログラム１５３ｅ等のプログラムが格納されている。
【００３４】
番組視聴履歴情報記憶プログラム１５３ａは、例えば、ＣＰＵ１５１に、番組視聴履歴情報を記憶する機能を実現させるためのプログラムである。
具体的には、ＣＰＵ１５１は、視聴者により番組の視聴が行われると、デコーダ部１２３において抽出された、視聴日、視聴開始時刻、視聴終了時刻、番組のチャンネル、番組名、ジャンル、レイティング情報等の視聴した番組に関するデータを、番組毎に対応付けて番組視聴履歴情報格納メモリ１５４に記憶させる。
ＣＰＵ１５１は、かかる番組視聴履歴情報記憶プログラム１５３ａを実行することにより、番組視聴履歴情報格納メモリ１５４とともに番組視聴履歴情報記憶手段を構成する。
【００３５】
第１の送信プログラム１５３ｂは、例えば、ＣＰＵ１５１に、番組視聴履歴情報記憶プログラム１５３ａの実行により、番組視聴履歴情報格納メモリ１５４に格納された番組視聴履歴情報を、特定電子機器としての携帯電話機２に送信する機能を実現させるためのプログラムである。
具体的には、ＣＰＵ１５１は、携帯電話機２のＣＰＵ１５１により、所定のタイミングで送信された番組視聴履歴情報を送信するよう要求するコマンドを通信部１４において受信すると、受信したコマンドに基づいて、番組視聴履歴情報格納メモリ１５４に格納されたデータを読み出して、通信部１４によりネットワークＮ１を介して携帯電話機２に送信する。
ＣＰＵ１５１は、かかる第１の送信プログラム１５３ｂの実行することにより、第１の送信手段として機能する。
【００３６】
第２の受信プログラム１３５ｃは、例えば、ＣＰＵ１５１に、携帯電話機２における第２の送信プログラム２４３ｄの実行によりネットワークＮ１を介して送信された番組設定情報を受信する機能を実現させるためのプログラムである。
具体的には、ＣＰＵ１５１は、携帯電話機２によりネットワークＮ１を介して番組設定情報が送信されると、当該番組設定情報を通信部１４により受信する。
ＣＰＵ１５１は、かかる第２の受信プログラム１３５ｃを実行することにより、第２の受信手段として機能する。
【００３７】
更新プログラム１５３ｄは、例えば、ＣＰＵ１５１に、第２の受信プログラム１３５ｃの実行により受信された番組設定情報に基づいて、番組設定情報格納メモリ１５５に格納された番組設定情報を更新する機能を実現させるためのプログラムである。
具体的には、ＣＰＵ１５１は、第２の受信プログラム１３５ｃの実行により、携帯電話機２から送信された番組設定情報を通信部１４により受信すると、当該受信した番組設定情報に基づいて、番組設定情報格納メモリ１５５の番組設定情報を更新する。
ＣＰＵ１５１は、かかる更新プログラム１５３ｄを実行することにより、更新手段として機能する。
【００３８】
視聴制限プログラム１５３ｅは、例えば、ＣＰＵ１５１に、番組設定情報格納メモリ１５５に格納された番組設定情報に基づいて、視聴を制限する番組の条件と一致する番組について、ミュート回路１２４ａ、ミュート回路１２５ａにおいて映像信号及び音声信号をミュートすることにより当該番組の視聴を制限するとともに、番組の視聴が不可能である旨を報知するための表示をＯＳＤ表示する機能を実現させるためのプログラムである。
具体的には、ＣＰＵ１５１は、復調部１２２からトランスポートストリームがデコーダ部１２３に入力されると、当該トランスポートストリームから、時間情報、タイトル情報、ジャンル情報、レイティング情報等の番組に関する情報を抽出し、抽出した番組情報が、番組設定情報格納メモリ１５５に格納された視聴を制限する番組の条件と一致するか否かを判定する。ＣＰＵ１５１は、抽出した番組情報が、番組設定情報格納メモリ１５５に格納された視聴を制限する番組の条件と一致すると判断すると、音声処理部１２５のミュート回路１２５ａにおいて音声信号をミュートするとともに、映像処理部１２４のミュート回路１２４ａにおいて映像信号をミュートし、さらに、ＯＳＤ回路１２６によりＲＯＭ１５３に格納された図示しないＯＳＤデータを映像信号に付加することで、番組の視聴が不可能である旨の報知（例えば、「この番組はブロックされています」等）を行う。
【００３９】
（携帯電話機の構成）
次に、ネットワークＮ１に接続された複数の電子機器のうち、特定電子機器としての携帯電話機２について説明する。
携帯電話機２は、通信部２１と、表示手段としての表示部２２と、設定入力手段としてのキー入力部２３と、制御部２４と、等を備えて構成されている。
【００４０】
通信部２１は、ネットワークＮ１により他の電子機器としてのテレビジョン受像機１ａ、１ｂ、１ｃ、１ｄと接続されており、当該ネットワークＮ１を介してテレビジョン受像機１ａ、１ｂ、１ｃ、１ｄから送信された番組視聴履歴情報を受信することにより第１の受信手段として機能するとともに、携帯電話機２において設定入力された番組設定情報を、ネットワークＮ１に接続された他の電子機器としてのテレビジョン受像機１ａ、１ｂ、１ｃ、１ｄにネットワークＮ１を介して送信することにより、第２の送信手段として機能する。
【００４１】
表示部２２は、例えば、ＬＣＤやＰＤＰ等により構成され、後述する表示プログラム２４３ｂの実行において、テレビジョン受像機１ａ、１ｂ、１ｃ、１ｄから送信された番組視聴履歴情報を表示する。
【００４２】
キー入力部２３は、図示しない複数のキーを備えており、後述する設定入力プログラム２４３ｃの実行において、前述の表示部２２に表示された番組視聴履歴情報が参照されながら、ユーザによるキー操作に基づく番組設定情報の設定入力が行われ、これにより設定入力手段として機能する。また、当該キー入力部２３は、番組設定入力キー２３ａを備えており、当該番組設定入力キー２３ａが押下されると、番組視聴履歴情報を送信するよう要求するコマンドが、ネットワークＮ１に接続されたテレビジョン受像機１ａ、１ｂ、１ｃ、１ｄの各々にネットワークＮ１を介して送信されることとなる。
【００４３】
制御部２４は、ＣＰＵ（Central Processing Unit）２４１と、メモリ２４２と、ＲＯＭ（Read Only Memory）２４３と、等を備えて構成されている。
【００４４】
ＣＰＵ２４１は、携帯電話機２の各部から入力された信号に応じて、ＲＯＭ２４３に格納された各種プログラムを実行し、当該プログラムに基づく制御信号を各部に出力することにより、携帯電話機２の動作全般を統括制御する。
【００４５】
メモリ２４２は、例えば、図示しないＲＡＭ（Random Access Memory）を備え、ＲＯＭ２４３から読み出された各種プログラムやこれらプログラムに係るデータ等を一時的に記憶するとともに、図示しないＥＰＲＯＭ（Erasable Programmable ROM）を備え、設定入力プログラム２４３ｃの実行により設定入力された番組設定情報を記憶する。
【００４６】
ＲＯＭ２４３は、ＣＰＵ２４１によって実行される各種データ処理プログラムの他、データ処理プログラムに係る各種初期設定値等を格納する。ＲＯＭ２４３には、例えば、第１の受信プログラム２４３ａ、表示プログラム２４３ｂ、設定入力プログラム２４３ｃ、第２の送信プログラム２４３ｄ等のプログラムが格納されている。
【００４７】
第１の受信プログラム２４３ａは、例えば、ＣＰＵ２４１に、テレビジョン受像機１ａ、１ｂ、１ｃ、１ｄにおける第１の送信プログラム１５３ｂの実行により、ネットワークＮ１を介して送信された番組視聴履歴情報を受信する機能を実現するためのプログラムである。
具体的には、ＣＰＵ２４１は、所定のタイミングで（例えば、キー入力部２３において、ユーザにより番組設定入力キー２３ａの操作がなされた場合等に）、番組視聴履歴情報を送信するよう要求するコマンドをネットワークＮ１に接続されたそれぞれのテレビジョン受像機１ａ、１ｂ、１ｃ、１ｄに対して送信し、当該コマンドに基づいて各々のテレビジョン受像機１ａ、１ｂ、１ｃ、１ｄから番組視聴履歴情報がネットワークＮ１を介して送信されると、通信部２１により、当該番組視聴履歴情報を受信する。当該コマンドは、所定日数分（例えば、３日分）の番組視聴履歴情報を送信するよう要求するものであり、この日数はメニュー画面等においてユーザが設定できる。
ＣＰＵ２４１は、かかる第１の受信プログラム２４３ａを実行することにより、通信部２１とともに第１の受信手段を構成する。
【００４８】
表示プログラム２４３ｂは、例えば、ＣＰＵ２４１に、第１の受信プログラム２４３ａの実行により受信された番組視聴履歴情報を表示部２２に表示する機能を実現させるためのプログラムである。
具体的には、ＣＰＵ２４１は、ネットワークＮ１に接続された各々のテレビジョン受像機１ａ、１ｂ、１ｃ、１ｄから、当該ネットワークＮ１を介して送信された番組視聴履歴情報を通信部２１により受信すると、受信したそれぞれの番組視聴履歴情報に基づいて、番組視聴履歴情報の一覧を表示部２２に表示させる。
図４は、表示プログラム２４３ｂの実行により表示部２２に表示された番組視聴履歴情報を例示する図であり、テレビジョン受像機１ａ、１ｂ、１ｃ、１ｄの各々から送信された所定日数分（例えば、３日分）の番組視聴履歴情報が、番組毎に機器ＩＤ番号が付されて、一覧に表示されている。
ＣＰＵ２４１は、かかる表示プログラム２４３ｂを実行することにより、表示部２２とともに表示手段を構成する。
【００４９】
設定入力プログラム２４３ｃは、例えば、ＣＰＵ２４１に、番組設定情報を設定入力する機能を実現させるためのプログラムである。
具体的には、ＣＰＵ２４１は、番組設定情報を設定入力するための番組設定入力画面を表示部２２に表示させ、ユーザのキー入力部２３におけるキー操作により番組設定情報が入力されると、入力された番組設定情報をメモリ２４２に格納する。当該番組設定情報は、例えば、所定の番組の視聴を制限する視聴制限情報であり、番組設定入力画面では、視聴を制限する番組の条件を設定することができる。ユーザは、例えば、表示プログラム２４３ｂの実行により表示部２２に表示された番組視聴履歴情報に基づいて、視聴を制限する番組の条件を、チャンネル番号、時間帯、ジャンル、レイティング情報等の組み合わせにより設定する。
図５は、設定入力プログラム２４３ｃの実行により表示部２２に表示された番組設定情報を入力させるための番組設定入力画面を例示する図であり、ユーザは、例えば、キー入力部２３の操作により、所定のチャンネル番号（例えば、１０１）、時間帯（例えば、２３時〜２５時）、ジャンル（例えば、映画）、レイティングレベル（例えば、TV-14以上）の視聴を望まない番組の条件を設定入力する。すると、当該番組設定入力画面において設定入力された番組設定情報がメモリ２４２に格納される。
ＣＰＵ２４１は、かかる設定入力プログラム２４３ｃを実行することにより、キー入力部２３とともに設定入力手段を構成する。
【００５０】
第２の送信プログラム２４３ｄは、例えば、ＣＰＵ２４１に、設定入力プログラム２４３ｃの実行により設定入力された番組設定情報を、ネットワークＮ１に接続された他の電子機器としてのテレビジョン受像機１ａ、１ｂ、１ｃ、１ｄに送信する機能を実現するためのプログラムである。
具体的には、ＣＰＵ２４１は、設定入力プログラム２４３ｃの実行により表示部２２に表示された番組設定入力画面において、ユーザのキー入力部２３におけるキー操作により番組設定情報が設定入力され、設定入力された番組設定情報がメモリ２４２に格納されると、当該メモリ２４２に格納された番組設定情報を、ネットワークＮ１に接続された他のテレビジョン受像機１ａ、１ｂ、１ｃ、１ｄのそれぞれに通信部２１を介して送信する。
すると、テレビジョン受像機１ａ、１ｂ、１ｃ、１ｄでは、当該第２の送信プログラム２４３ｄの実行により送信された番組設定情報を受信して番組設定情報格納メモリ１５５の番組設定情報を更新する。そして、これ以降、番組設定情報格納メモリ１５５に記憶された当該番組設定情報に基づいて、視聴を制限する番組の条件の何れかと一致する所定の番組（例えば、所定のチャンネル番号（例えば、１０１）、時間帯（例えば、２３時〜２５時）、ジャンル（例えば、映画）、レイティングレベル（例えば、TV-14以上）の何れかに該当する番組）の映像信号及び音声信号がミュート回路１２４ａ、ミュート回路１２５ａにおいてミュートされ、視聴が不可能となる。
ＣＰＵ２４１は、かかる第２の送信プログラム２４３ｄを実行することにより、通信部２１とともに第２の送信手段を構成する。
【００５１】
次に、図６を参照しながら、テレビジョン受像機１ａ、１ｂ、１ｃ、１ｄのＣＰＵ１５１及び携帯電話機２のＣＰＵ２４１により行われる視聴制限設定処理について説明する。当該視聴制限設定処理は、テレビジョン受像機１ａ、１ｂ、１ｃ、１ｄのＣＰＵ１５１が番組視聴履歴情報記憶プログラム１５３ａ、第１の送信プログラム１５３ｂ、第２の受信プログラム１３５ｃ、更新プログラム１５３ｄ、視聴制限プログラム１５３ｅを実行するとともに、携帯電話機２のＣＰＵ２４１が第１の受信プログラム２４３ａ、表示プログラム２４３ｂ、第２の送信プログラム２４３ｄを実行することにより行われる。
【００５２】
まず、テレビジョン受像機１ａ、１ｂ、１ｃ、１ｄのＣＰＵ１５１は、番組の視聴が行われると、デコーダ部１２３により、視聴日、視聴開始時刻、視聴終了時刻、番組のチャンネル、番組名、ジャンル、レイティング情報等の視聴した番組に関する番組視聴履歴情報を取得して番組視聴履歴情報格納メモリ１５４に格納する（ステップＳ１）。
一方、携帯電話機２のＣＰＵ２４１は、キー入力部２３におけるキー操作を監視しており、ステップＳ２において、番組設定入力キー２３ａの押下がなされたか否かを判断する。ステップＳ２において、ＣＰＵ２４１は、番組設定入力キー２３ａの押下がなされたと判断すると（ステップＳ２；Ｙｅｓ）、所定日数分の番組視聴履歴情報を要求するコマンドを、ネットワークＮ１に接続された各々のテレビジョン受像機１ａ、１ｂ、１ｃ、１ｄに送信する（ステップＳ３）。
ステップＳ４において、それぞれのテレビジョン受像機１ａ、１ｂ、１ｃ、１ｄのＣＰＵ１５１は、携帯電話機２から送信された番組視聴履歴情報を要求するコマンドを受信し、当該コマンドに基づいて、テレビジョン受像機１の機器ＩＤ番号とともに、番組視聴履歴情報格納メモリ１５４に格納された番組視聴履歴情報を、通信部１４により携帯電話機２に送信する（ステップＳ５）。
ステップＳ６において、携帯電話機２のＣＰＵ２４１は、ネットワークＮ１に接続されたテレビジョン受像機１ａ、１ｂ、１ｃ、１ｄからそれぞれ送信された番組視聴履歴情報を通信部２１により受信すると、受信した番組視聴履歴情報に基づいて、表示部２２にそれぞれのテレビジョン受像機１ａ、１ｂ、１ｃ、１ｄから送信された番組視聴履歴情報の一覧を表示させる（ステップＳ７）。続いて、ＣＰＵ２４１は、ユーザの所定のキー操作に基づいて、番組設定情報を入力するための番組設定入力画面を表示部２２に表示させ（ステップＳ８）、当該番組設定入力画面において、ユーザによるキー入力部２３のキー操作により、視聴を制限する番組の条件が設定入力されると（ステップＳ９）、設定入力された番組設定情報をメモリ２４２に格納する。ステップＳ１０において、ＣＰＵ２４１は、ユーザにより設定入力され、メモリ２４２に格納された番組設定情報を、ネットワークＮ１に接続されたテレビジョン受像機１ａ、１ｂ、１ｃ、１ｄの各々に、通信部２１により送信し、本処理を終了する。
ステップＳ１１において、各々のテレビジョン受像機１ａ、１ｂ、１ｃ、１ｄのＣＰＵ１５１は、携帯電話機２から送信された番組設定情報を受信すると、受信した番組設定情報に基づいて、番組設定情報格納メモリ１５５に格納された番組設定情報を更新し（ステップＳ１２）、以後、番組設定情報格納メモリ１５５に格納された番組設定情報に基づいて、視聴を制限する番組の条件と一致する番組について、映像信号及び音声信号をミュート回路１２４ａ、ミュート回路１２５ａにおいてミュートすることにより当該番組の視聴を制限するとともに、番組の視聴が不可能である旨を報知するための表示を映像出力部１３２にＯＳＤ表示させ（ステップＳ１３）、本処理を終了する。
【００５３】
以上説明した実施形態１の電子機器制御システムＳａによれば、テレビジョン受像機１ａ、１ｂ、１ｃ、１ｄの各々において、所定の番組の視聴を制限する視聴制限情報を含む番組設定情報が番組設定情報格納メモリ１５５に記憶され、ＣＰＵ１５１による番組視聴履歴情報記憶プログラム１５３ａの実行により、番組視聴履歴情報格納メモリ１５４に番組視聴履歴情報が記憶される。そして、ＣＰＵ１５１による第１の送信プログラム１５３ｂの実行により、当該番組視聴履歴情報格納メモリ１５４に記憶された番組視聴履歴情報が、携帯電話機２にネットワークＮ１を介して送信される。また、携帯電話機２において、ＣＰＵ２４１による第１の受信プログラム２４３ａの実行により、第１の送信プログラム１５３ｂの実行によりネットワークＮ１を介して送信された番組視聴履歴情報が受信され、ＣＰＵ２４１による表示プログラム２４３ｂの実行により、第１の受信プログラム２４３ａにより受信された番組視聴履歴情報が表示部２２に表示される。そして、ＣＰＵ２４１による設定入力プログラム２４３ｃの実行により、ユーザのキー入力部２３におけるキー操作に基づいて、所定の番組の視聴を制限する視聴制限情報を含む番組設定情報が設定入力され、ＣＰＵ２４１による第２の送信プログラム２４３ｄの実行により、設定入力された番組設定情報が、各々のテレビジョン受像機１ａ、１ｂ、１ｃ、１ｄにネットワークＮ１を介して送信される。そして、テレビジョン受像機１ａ、１ｂ、１ｃ、１ｄの各々において、ＣＰＵ１５１による第２の受信プログラム１３５ｃの実行により、第２の送信プログラム２４３ｄの実行によりネットワークＮ１を介して送信された番組設定情報が受信され、ＣＰＵ１５１による更新プログラム１５３ｄの実行により、第２の受信プログラム１３５ｃの実行により受信された番組設定情報に基づいて、番組設定情報格納メモリ１５５に記憶された番組設定情報が更新される。
従って、ネットワークＮ１に接続されたそれぞれのテレビジョン受像機１ａ、１ｂ、１ｃ、１ｄでの番組視聴履歴情報に基づいて設定した、視聴を望まない番組の視聴を制限するための番組設定情報を、各々のテレビジョン受像機１ａ、１ｂ、１ｃ、１ｄに一括して設定できることとなって、各テレビジョン受像機１ａ、１ｂ、１ｃ、１ｄに対する番組設定情報の設定をより容易にすることができる。また、特定電子機器は携帯電話機２であるので、携帯電話機２の操作者のみが番組設定情報を複数のテレビジョン受像機１に一括して設定入力できることとなって、電子機器制御システムＳａにおけるユーザの使い勝手を向上させることができる。
【００５４】
（実施形態２）
次に、図７〜図１０を用いて、本発明を適用した実施形態２の電子機器制御システムＳｂについての説明を行う。
本実施形態２における電子機器制御システムＳｂでは、ネットワークＮ２を介して複数の電子機器が接続されている。これらの電子機器は、例えば、テレビジョン受像機３（例えば、３ａ、３ｂ、３ｃ、３ｄ）であるものとして、以下の説明を行う。
【００５５】
まず、ネットワークＮ２に接続されるテレビジョン受像機３ａ、３ｂ、３ｃ、３ｄの構成について、図７を参照しながら説明する。
なお、テレビジョン受像機３ａ、３ｂ、３ｃ、３ｄの構成は共通するものとし、ここでは特に一のテレビジョン受像機３ａを取り上げて説明を行い、他のテレビジョン受像機３ｂ、３ｃ、３ｄの説明は省略する。
【００５６】
テレビジョン受像機３ａは、例えば、アンテナ１１、信号処理部１２、出力部１３、キー入力部３１、通信部１４、制御部３２等を備えて構成される。
ここで、テレビジョン受像機３ａにおける各構成のうち、実施形態１のテレビジョン受像機１ａにおける構成と同一部分には同一符号を付して説明を省略する。
【００５７】
キー入力部３１は、図示しない複数のキーを備えており、後述する設定入力プログラム３２３ａの実行において、ユーザによるキー操作に基づく番組設定情報の入力が行われ、これにより設定入力手段として機能する。また、当該キー入力部３１は、番組設定入力キー３１ａを備えており、当該番組設定入力キー３１ａの操作に基づいて、番組設定情報を入力するための番組設定入力画面が映像出力部１３１に表示されることとなる。
【００５８】
制御部３２は、例えば、ＣＰＵ（Central Processing Unit）３２１と、ＲＡＭ（Random Access Memory）３２２と、ＲＯＭ（Read Only Memory）３２３と、番組設定情報記憶手段としての番組設定情報格納メモリ３２４と、等を備えて構成されている。
【００５９】
ＣＰＵ３２１は、テレビジョン受像機３ａの各部から入力された信号に応じて、ＲＯＭ３２３に格納された各種プログラムを実行し、当該プログラムに基づく制御信号を各部に出力することにより、テレビジョン受像機３ａの動作全般を統括制御する。
【００６０】
ＲＡＭ３２２は、ＣＰＵ３２１のワークエリアとして用いられ、ＲＯＭ３２３から読み出された各種プログラムやこれらプログラムに係るデータ等を一時的に記憶する。
【００６１】
番組設定情報格納メモリ３２４は、当該テレビジョン受像機３ａで設定入力され、或いは他のテレビジョン受像機３ｂ、３ｃ、３ｄから送信された、所定の番組の視聴を制限する視聴制限情報を含む番組設定情報を格納する。そして、新たな番組設定情報が設定入力或いは送信される度に、当該番組設定情報に基づいて、この番組設定情報格納メモリ３２４に格納された番組設定情報が更新される。当該番組設定情報格納メモリ３２４に記憶された番組設定情報に基づいて、テレビジョン受像機３ａにおける所定の番組の視聴が制限されることとなる。
【００６２】
ＲＯＭ３２３は、ＣＰＵ３２１によって実行される各種データ処理プログラムの他、データ処理プログラムに係る各種初期設定値等を格納する。ＲＯＭ３２３には、例えば、設定入力プログラム３２３ａ、送信プログラム３２３ｂ、受信プログラム３２３ｃ、更新プログラム３２３ｄ、視聴制限プログラム３２３ｅ等のプログラムが格納されている。
【００６３】
設定入力プログラム３２３ａは、例えば、ＣＰＵ３２１に、番組設定情報を設定入力する機能を実現させるためのプログラムである。
具体的には、ＣＰＵ３２１は、ユーザのキー入力部３１における番組設定入力キー３１ａの操作に基づいて、番組設定情報を設定入力するための番組設定入力画面を映像出力部１３１に表示させ、ユーザによるキー入力部３１におけるキー操作に基づいて番組設定情報が入力されると、入力された番組設定情報を番組設定情報格納メモリ３２４に格納する。当該番組設定情報は、例えば、所定の番組の視聴を制限する視聴制限情報であり、番組設定入力画面では、視聴を制限する番組の条件を設定することができる。ユーザは、例えば、視聴を制限する番組の条件を、チャンネル番号、時間帯、ジャンル、レイティング情報等の組み合わせにより設定する。
図９は、設定入力プログラム３２３ａの実行により映像出力部１３１に表示された番組設定情報を入力させるための番組設定入力画面を例示する図であり、ユーザは、例えば、キー入力部３１の操作により、所定のチャンネル番号（例えば、１０１）、時間帯（例えば、２３時〜２５時）、ジャンル（例えば、映画）、レイティングレベル（例えば、TV-14以上）等の視聴を望まない番組の条件を設定入力する。すると、当該番組設定入力画面において設定入力された番組設定情報が、番組設定情報格納メモリ３２４に格納される。
ＣＰＵ３２１は、かかる設定入力プログラム３２３ａを実行することにより、キー入力部３１とともに設定入力手段を構成する。
【００６４】
送信プログラム３２３ｂは、例えば、ＣＰＵ３２１に、設定入力プログラム３２３ａの実行により設定入力された番組設定情報を、ネットワークＮ２に接続された他のテレビジョン受像機３ｂ、３ｃ、３ｄに送信する機能を実現させるためのプログラムである。
具体的には、ＣＰＵ３２１は、設定入力プログラム３２３ａの実行により映像出力部１３１に表示された番組設定入力画面において、ユーザのキー入力部３１におけるキー操作により、番組設定情報が設定入力され、設定入力された番組設定情報が番組設定情報格納メモリ３２４に格納されると、当該番組設定情報格納メモリ３２４に格納された番組設定情報を、ネットワークＮ２に接続された他のテレビジョン受像機３ｂ、３ｃ、３ｄの各々に通信部１４を介して送信する。
ＣＰＵ３２１は、かかる送信プログラム３２３ｂを実行することにより、通信部１４とともに送信手段を構成する。
【００６５】
受信プログラム３２３ｃは、例えば、ＣＰＵ３２１に、他のテレビジョン受像機３ｂ、３ｃ、３ｄにおける送信プログラム３２３ｂの実行によりネットワークＮ２を介して送信された番組設定情報を受信する機能を実現させるためのプログラムである。
具体的には、ＣＰＵ３２１は、テレビジョン受像機３ｂ、３ｃ、３ｄによりネットワークＮ２を介して番組設定情報が送信されると、当該番組設定情報を通信部１４により受信する。
ＣＰＵ３２１は、かかる受信プログラム３２３ｃを実行することにより、通信部１４とともに受信手段を構成する。
【００６６】
更新プログラム３２３ｄは、例えば、ＣＰＵ３２１に、受信プログラム３２３ｃの実行により受信された番組設定情報に基づいて、番組設定情報格納メモリ３２４に格納された番組設定情報を更新する機能を実現させるためのプログラムである。
具体的には、ＣＰＵ３２１は、受信プログラム３２３ｃの実行により、他のテレビジョン受像機３ｂ、３ｃ、３ｄから送信された番組設定情報を通信部１４により受信すると、当該受信した番組設定情報に基づいて、番組設定情報格納メモリ３２４に格納された番組設定情報を更新する。
ＣＰＵ３２１は、かかる更新プログラム３２３ｄを実行することにより、更新手段として機能する。
【００６７】
視聴制限プログラム３２３ｅは、例えば、ＣＰＵ３２１に、番組設定情報格納メモリ３２４に格納された番組設定情報に基づいて、視聴を制限する番組の条件と一致する番組について、ミュート回路１２４ａ、ミュート回路１２５ａにおいて映像信号及び音声信号をミュートすることにより当該番組の視聴を制限するとともに、番組の視聴が不可能である旨を報知するための表示を映像出力部１３２にＯＳＤ表示する機能を実現させるためのプログラムである。
具体的には、ＣＰＵ３２１は、アンテナ１１において受信された放送信号がデコーダ部１２３に入力されると、当該放送信号から、時間情報、タイトル情報、ジャンル情報、レイティング情報等の番組に関する情報を抽出し、抽出した番組情報が、番組設定情報格納メモリ３２４に格納された視聴を制限する番組の条件と一致するか否かを判定する。ＣＰＵ３２１は、抽出した番組情報が、番組設定情報格納メモリ３２４に格納された視聴を制限する番組の条件と一致すると判断すると、音声処理部１２５のミュート回路１２５ａにおいて音声信号をミュートするとともに、映像処理部１２４のミュート回路１２４ａにおいて映像信号をミュートし、さらに、ＯＳＤ回路１２６によりＲＯＭ３２３に格納された図示しないＯＳＤデータを映像信号に付加することで、番組の視聴が不可能である旨の報知（例えば、「この番組はブロックされています」等）を行う。
【００６８】
次に、図１０及び図１１を参照しながら、テレビジョン受像機３ａ、３ｂ、３ｃ、３ｄのＣＰＵ３２１により行われる視聴制限設定処理について説明する。なお、本処理では、テレビジョン受像機３ａを一の電子機器として説明し、ネットワークＮ２に接続された他のテレビジョン受像機３ｂ、３ｃ、３ｄを他の電子機器として説明するが、他のテレビジョン受像機３ｂ、３ｃ、３ｄの何れかが一の電子機器として本処理を実行する場合には、テレビジョン受像機３ａを含む他のテレビジョン受像機３が他の電子機器となる。
当該視聴制限設定処理のうち図１０における処理は、一の電子機器としてのテレビジョン受像機３ａのＣＰＵ３２１が設定入力プログラム３２３ａ、送信プログラム３２３ｂを実行することにより、設定入力された番組設定情報を他の電子機器としてのテレビジョン受像機３ｂ、３ｃ、３ｄに送信するものである。また、図１１における処理は、一の電子機器としてのテレビジョン受像機３ａのＣＰＵ３２１が受信プログラム３２３ｃ、更新プログラム３２３ｄ、視聴制限プログラム３２３ｅを実行することにより、他の電子機器としてのテレビジョン受像機３ｂ、３ｃ、３ｄの何れかから送信された番組設定情報に基づいて所定の番組の視聴制限を行うものである。
【００６９】
まず、図１０において、テレビジョン受像機３ａのＣＰＵ３２１は、番組の視聴が行われると、デコーダ部１２３により、視聴日、視聴開始時刻、視聴終了時刻、番組のチャンネル、番組名、ジャンル、レイティング情報等の視聴した番組に関する番組視聴履歴情報を取得して所定の領域に格納する（ステップＳ２１）。次に、ＣＰＵ３２１は、キー入力部３１におけるキー操作を監視し、ステップＳ２２において、番組設定入力キー３１ａの押下がなされたか否かを判断する。ステップＳ２２において、ＣＰＵ３２１は、番組設定入力キー３１ａの押下がなされたと判断すると（ステップＳ２２；Ｙｅｓ）、番組設定情報を入力するための番組設定入力画面を映像出力部１３２に表示させ（ステップＳ２３）、当該番組設定入力画面において、ユーザによるキー入力部３１のキー操作により、視聴を制限する番組の条件が設定入力されると（ステップＳ２４）、設定入力された番組設定情報を番組設定情報格納メモリ３２４に格納する（ステップＳ２５）。ステップＳ２６において、ＣＰＵ３２１は、ユーザにより設定入力され、番組設定情報格納メモリ３２４に格納された番組設定情報を、ネットワークＮ２に接続された他のテレビジョン受像機３ｂ、３ｃ、３ｄの各々に、通信部１４により送信し、本処理を終了する。
【００７０】
一方、図１１において、テレビジョン受像機３ａのＣＰＵ３２１は、ステップＳ３１において、他のテレビジョン受像機３（すなわち、３ｂ、３ｃ、３ｃの何れか）から送信された番組設定情報を受信すると、ステップＳ３２において、受信した番組設定情報に基づいて、番組設定情報格納メモリ３２４の番組設定情報を更新する。テレビジョン受像機３ａのＣＰＵ３２１は、以後、番組設定情報格納メモリ３２４に格納された番組設定情報に基づいて、視聴を制限する番組の条件と一致する番組について、映像信号及び音声信号をミュート回路１２４ａ、ミュート回路１２５ａにおいてミュートすることにより当該番組の視聴を制限するとともに、番組の視聴が不可能である旨を報知するための表示をＯＳＤ表示させ（ステップＳ３３）、本処理を終了する。
【００７１】
以上説明した実施形態２の電子機器制御システムＳｂによれば、複数のテレビジョン受像機３ａ、３ｂ、３ｃ、３ｄのうち一のテレビジョン受像機３（例えば、３ａ）において、ＣＰＵ３２１による設定入力プログラム３２３ａの実行により、所定の番組の視聴を制限する視聴制限情報を含む番組設定情報が設定入力され、設定入力された番組設定情報が番組設定情報格納メモリ３２４に記憶され、さらに、ＣＰＵ３２１による送信プログラム３２３ｂの実行により、設定入力プログラム３２３ａの実行により設定入力された番組設定情報が、ネットワークＮ２に接続された他のテレビジョン受像機３（例えば、３ｂ、３ｃ、３ｄ）に送信される。また、ＣＰＵ３２１による受信プログラム３２３ｃの実行により、ネットワークＮ２に接続された他のテレビジョン受像機３（例えば、３ｂ、３ｃ、３ｄ）から送信された番組設定情報が受信され、ＣＰＵ３２１による更新プログラム３２３ｄの実行により、受信プログラム３２３ｃの実行により受信された番組設定情報に基づいて、番組設定情報格納メモリ３２４に記憶された番組設定情報が更新される。従って、ネットワークＮ２に接続されたそれぞれのテレビジョン受像機３ａ、３ｂ、３ｃ、３ｄにおいて個別に設定した、視聴を望まない番組の視聴を制限するための番組設定情報が、各々のテレビジョン受像機３ａ、３ｂ、３ｃ、３ｄに一括して設定できることとなって、各テレビジョン受像機３ａ、３ｂ、３ｃ、３ｄに対する番組設定情報の設定をより容易にすることができる。
【００７２】
なお、本発明は、上記実施の形態に限定されることなく、本発明の趣旨を逸脱しない範囲において種々の改良並びに設計の変更を行ってもよい。
例えば、所定の番組の視聴を制限する方法は、ミュート回路１２４ａ、ミュート回路１２５ａによるものに限られず、チューナ１２１において当該番組の放送信号の受信を不可能とする構成であっても良い。
また、例えば、番組設定情報及び視聴制限情報は、上記実施の形態に例示したチャンネル番号、時間帯、ジャンル、レイティング情報等の組み合わせによるものに限られず、所定のタイトルであっても良い。
また、例えば、第２の送信プログラム２４３ｄ或いは送信プログラム３２３ｂは、番組設定情報を送信する電子機器を、複数の電子機器の中から指定可能な構成であっても良い。これによれば、ユーザの意向に合わせて細かく番組設定情報を設定できることとなって、より使い勝手の良い電子機器制御システムＳを構成できる。
また、放送信号から抽出され、番組視聴履歴情報記憶プログラム１５３ａの実行により記憶される番組視聴履歴情報は、上記実施の形態において例示したものに限られない。例えば、レイティング情報は、年齢によって格付けされるものではなく、内容により格付けされるものであっても良い。
また、実施形態１の電子機器制御システムＳａにおいて、特定電子機器は、携帯電話機２に限られず、また、他の電子機器もテレビジョン受像機１に限られない。すなわち、例えば、携帯電話機２がテレビジョン受像機の機能を備えて他の電子機器となり、特定電子機器から送信される番組設定情報に基づいて番組の視聴が行われる構成であっても良いし、携帯電話機２がテレビジョン受像機の機能を備える特定電子機器となり、当該携帯電話機２にて記憶された番組視聴履歴情報及び他の電子機器において記憶された番組視聴履歴情報に基づいて番組設定情報が設定入力されて、当該番組設定情報を他の電子機器に送信する構成であっても良い。
また、実施形態２の電子機器制御システムＳｂにおいて、実施形態１と同様に、視聴履歴情報が記憶され、当該視聴履歴情報に基づいて番組設定情報が設定入力される構成であっても良い。
また、番組設定情報は、所定の番組の視聴を制限する視聴制限情報を含むものに限られず、例えば、所定の番組の視聴のみ強制的に視聴させるための情報であってもよいし、又は所定の番組のみ視聴可能にさせるための情報等であっても良い。
【図面の簡単な説明】
【００７３】
【図１】実施形態１における電子機器制御システムの全体構成を示す図である。
【図２】実施形態１における電子機器制御システムの要部構成を示すブロック図である。
【図３】実施形態１において、テレビジョン受像機の視聴履歴情報格納メモリに記憶された視聴履歴情報を例示する図である。
【図４】実施形態１における表示プログラムの実行により、表示部に表示された番組視聴履歴情報を例示する図である。
【図５】実施形態１における設定入力プログラムの実行により、表示部に表示された番組設定情報を設定入力させるための番組設定入力画面を例示する図である。
【図６】実施形態１における視聴制限情報設定処理を示すフローチャートである。
【図７】実施形態２における電子機器制御システムの全体構成を示す図である。
【図８】実施形態２における電子機器制御システムの要部構成を示すブロック図である。
【図９】実施形態２における設定入力プログラムの実行により、映像出力部に表示された番組設定情報を設定入力させるための番組設定入力画面を例示する図である。
【図１０】実施形態２において、一の電子機器において、他の電子機器に番組設定情報を送信する視聴制限情報設定処理を示すフローチャートである。
【図１１】実施形態２において、一の電子機器において、他の電子機器から送信される番組設定情報に基づいて行われる視聴制限情報設定処理を示すフローチャートである。
【符号の説明】
【００７４】
１、１ａ、１ｂ、１ｃ、１ｄ  テレビジョン受像機（電子機器、他の電子機器）
２                          携帯電話機（電子機器、特定電子機器、携帯端末）
３、３ａ、３ｂ、３ｃ、３ｄ  テレビジョン受像機（電子機器、他の電子機器）
１５１                      ＣＰＵ（番組視聴履歴情報記憶手段、第１の送信手段、第２の受信手段、更新手段）
１５３ａ                    番組視聴履歴情報記憶プログラム（番組視聴履歴情報記憶手段）
１５３ｂ                    第１の送信プログラム（第１の送信手段）
１５３ｃ                    第２の受信プログラム（第２の受信手段）
１５３ｄ、３２３ｄ          更新プログラム（更新手段）
１５４                      番組視聴履歴情報格納メモリ（番組視聴履歴情報記憶手段）
１５５、３２４              番組設定情報格納メモリ（番組設定情報記憶手段）
２２                        表示部（表示手段）
２３、３１                  キー入力部（設定入力手段）
２４１                      ＣＰＵ（第１の受信手段、表示手段、設定入力手段、第２の送信手段）
２４３ａ                    第１の受信プログラム（第１の受信手段）
２４３ｂ                    表示プログラム（表示手段）
２４３ｃ、３２３ａ          設定入力プログラム（設定入力手段）
２４３ｄ                    第２の送信プログラム（第２の送信手段）
３２１                      ＣＰＵ（設定入力手段、送信手段、受信手段、更新手段）
３２３ｂ                    送信プログラム（送信手段）
３２３ｃ                    受信プログラム（受信手段）
Ｓ１、Ｓ２                  電子機器制御システム
Ｎ１、Ｎ２                  ネットワーク
【図１】
2007288520.tif 000003
【図２】
2007288520.tif 000004
【図３】
2007288520.tif 000005
【図４】
2007288520.tif 000006
【図５】
2007288520.tif 000007
【図６】
2007288520.tif 000008
【図７】
2007288520.tif 000009
【図８】
2007288520.tif 000010
【図９】
2007288520.tif 000011
【図１０】
2007288520.tif 000012
【図１１】
2007288520.tif 000013